(57)【特許請求の範囲】
【請求項１】
中央に送風ラインが貫設されている製鉄工業炉用羽口において，
内部に第１及び第２本体流路を有する裁頭円錐状の胴部と，前記胴部の先端から突設される突出部を備えるボディー部と；
前記突出部に連結され，前記突出部の外周面との間に前記第１本体流路と連通される先端体流路を内側に形成するカバー部と； 
前記カバー部を取り囲むように前記カバー部に連結され，前記カバー部の外周面との間に前記第２本体流路と連通される第１外郭冷却流路を内側に形成する第１外郭部を含み；
前記第１本体流路は，前記ボディー部に形成されたボディー流入口及びボディー流出口に連通され，前記ボディー流入口を通じて供給された冷却水を前記ボディー流出口を通じて排出し，
前記第２本体流路は，前記ボディー部に形成された第１外郭流入口及び第１外郭流出口に連通され，前記第１外郭流入口を通じて供給された冷却水を前記第１外郭流出口を通じて排出し，
前記ボディー流入口に連通する前記ボディー流出口，及び前記第１本体流路に連通する前記先端体流路は，前記第１外郭流入口に連通する前記第１外郭流出口，及び前記第２本体流路に連通する前記第１外郭流路と互いに隔離されていることを特徴とする製鉄工業炉用羽口。
【請求項２】
前記ボディー部は第３本体流路を更に備え，
前記羽口が更に，前記第１外郭部に連結されて前記第１外郭部の外周面との間に前記第３本体流路と連通する第２外郭冷却流路を内側に形成する第２外郭部を含み，
前記第３本体流路は前記ボディー部に形成された第２外郭流入口及び第２外郭流出口に連通され，前記第２外郭流入口を通じて供給された冷却水を前記第２外郭流出口を通じて排出し，
前記第２外郭流入口に連通する前記第２外郭流出口，及び前記第３本体流路に連通する第２外郭冷却流路は，前記ボディー流入口に連通する前記ボディー流出口，及び前記第１本体流路に連通する前記先端体流路，並びに前記第１外郭流入口に連通する前記第１外郭流出口，及び前記第２本体流路に連通する前記第１外郭流路と隔離されていることを特徴とする請求項１記載の製鉄工業炉用羽口。
【請求項３】
前記第１外郭部の先端に前記第１外郭冷却流路の折り返し位置となる第１流路溝を形成し，前記第２外郭部の先端に前記第２外郭冷却流路の折り返し位置となる第２流路溝を形成したことを特徴とする請求項２記載の製鉄工業炉用羽口。
【請求項４】
前記突出部の外周面に，前記カバー部を連結するための突起を形成したことを特徴とする請求項１又は２記載の製鉄工業炉用羽口。
【請求項５】
前記カバー部は，内面が平坦で，外面には前記第１外郭冷却流路を形成するための多数の第１隔壁が設けられていることを特徴とする請求項１又は２記載の製鉄工業炉用羽口。
【請求項６】
前記第１外郭部の外周面に第２外郭冷却流路を形成する多数の第２隔壁が設けられていることを特徴とする請求項２記載の製鉄工業炉用羽口。
【請求項７】
前記先端体流路は螺旋状を成すリブから成る隔壁により形成されていることを特徴とする請求項５記載の製鉄工業炉用羽口。
【請求項８】
前記第１外郭冷却流路は螺旋状に形成されていることを特徴とする請求項１記載の製鉄工業炉用羽口。
【請求項９】
前記第１外郭部の上部，下部及び先端面にハードフェーシング処理層を設けたことを特徴とする請求項１記載の製鉄工業炉用羽口。
【請求項１０】
前記ハードフェーシング処理層は，前記第１外郭部の前記上部は先端から１５０〜２５０mmまでの範囲に，前記下部は先端から１００〜１５０mmまでの範囲に付設されたことを特徴とする請求項９記載の製鉄工業炉用羽口。
【請求項１１】
前記先端体流路は螺旋状であり，前記羽口の先端に向けて流れる入側先端体流路と前記羽口の後端に向けて流れる出側先端体流路を備えていることを特徴とする請求項１記載の製鉄工業炉用羽口。
【請求項１２】
前記入側先端体流路と前記出側先端体流路は前記羽口の長手方向に沿って交互に配置されることを特徴とする請求項１１記載の製鉄工業炉用羽口。
【請求項１３】
前記第１外郭冷却流路は螺旋状であり、前記羽口の先端に向けて流れる第１入側外郭冷却流路と前記羽口の後端に向けて流れる第１出側外郭冷却流路を備えていることを特徴とする請求項１１記載の製鉄工業炉用羽口。
【請求項１４】
前記第１入側外郭冷却流路と前記第１出側外郭冷却流路は前記羽口の長手方向に沿って交互に配置されることを特徴とする請求項１３記載の製鉄工業炉用羽口。
【請求項１５】
前記第１外郭冷却流路は前記先端体流路の外側に配置され、前記第２外郭冷却流路は前記第１外郭冷却流路の外側に配置されることを特徴とする請求項２記載の製鉄工業炉用羽口。
【発明の詳細な説明】
【技術分野】
【０００１】
本発明は，製鉄工業炉用羽口に係り，より詳しくは製鉄工業炉の内部で空気や酸素を供給するか微粉炭などの燃料を吹き込むことで，投入された燃料を燃焼して鉄鉱石を溶融するための長寿命の製鉄工業炉用羽口に関する。
【背景技術】
【０００２】
一般に，製鉄工程は投入口を介して燃料のコークスと原料の鉄鉱石を投入し，製鉄工業炉の下部に位置する羽口(tuyere)を介して熱風を送風することで，投入されたコークスを燃焼させながら鉄鉱石を溶融させて還元させて高温の溶融物である溶銑を形成する工程である。
【０００３】
製鉄工業炉の内部に熱風を吹き込む羽口は一般的には純銅で製造される。このような純銅は溶融点が１，０８３℃と比較的低いが，その内部は高速の冷却水が循環しながら製鉄工業炉に送風される約１，２００℃程度の高熱に耐えられるように製作される。
【０００４】
このような羽口は，炉の内部に空気を流入するために，製鉄工業炉の壁体に設置され，その設置構造上，内部圧力に対して気密状態を維持するように大羽口と接合，連結されて内部に突出している。これは，内部の高熱によって溶融，損傷することを防止するために，流入口に冷却水が流入され冷却流路を介して循環しながら羽口を冷却させ，加熱された冷却水は排出口を介して排出される水冷方式が採択されている。
【０００５】
ところが，従来の羽口は裁頭円錐状に形成され，ボディー部と前記ボディー部の先端に端面相互が接合，連結（以下，単に「連結」という）された先端部でなるが，製鉄工業炉の内部壁体に沿って下降する高温溶融物が羽口の先端部と接触することによって前記先端部が浸食され，ないしは損傷する。このように，羽口の先端部が破損した場合には，冷却水の炉内への流入を防止するために，先端部への冷却水供給を遮断し，ボディー部だけが稼動することによって羽口の冷却面積が減少して冷却効率が大幅に低下し，前記先端部は冷却されずに羽口全体の寿命が短くなる問題がある。
【発明の概要】
【発明が解決しようとする課題】
【０００６】
本発明は前述した問題点を解決するためになされたもので，羽口の外郭部の一部が破損しても，破損した外郭部の流路の冷却水供給を中断し，残る外郭部とボディー部だけでも羽口の機能を持続的に維持することができ，長寿命化を達成する羽口を提供することができ，冷却水が羽口の先端まで全体的に均一に伝達されるようにして冷却効率に優れ，操業可能時間を延長して作業効率を向上することのできる製鉄工業炉用羽口を提供することをその目的とする。
【課題を解決するための手段】
【０００７】
前記目的を達成するために，本発明は，中央に送風ラインが貫設されている製鉄工業炉用羽口１００であって，
内部に第１及び第２本体流路１２１ａ，１２１ｂを有する裁頭円錐状の胴部１２０と，前記胴部１２０の先端から突設する突出部１３０を備えるボディー部１１０と；  
前記突出部１３０に連結され，前記突出部１３０の外周面との間に前記第１本体流路１２１ａと連通する先端体流路１３１を内側に形成するカバー部１４０と；
前記カバー部１４０を取り囲むように前記カバー部１４０に連結され，前記カバー部１４０の外周面との間に前記第２本体流路１２１ｂと連通される第１外郭冷却流路１５１を内側に形成する第１外郭部１５０を含み，
前記第１本体流路１２１ａは，前記ボディー部１１０に形成されたボディー流入口１２２及びボディー流出口１２３に連通され，前記ボディー流入口１２２を通じて供給された冷却水を前記ボディー流出口１２３を通じて排出し，
前記第２本体流路１２１ｂは，前記ボディー部１１０に形成された第１外郭流入口１５２及び第１外郭流出口１５３に連通され，前記第１外郭流入口１５２を通じて供給された冷却水を前記第１外郭流出口１５３を通じて排出し，
前記ボディー流入口１２２に連通する前記ボディー流出口１２３，及び前記第１本体流路１２１ａに連通する前記先端体流路１３１は，前記第１外郭流入口１５２に連通する前記第１外郭流出口１５３，及び前記第２本体流路１２１ｂに連通する前記第１外郭流路１５１と互いに隔離されている製鉄工業炉用羽口を提供する。
【０００８】
前記ボディー部１１０は第３本体流路１２１ｃを更に備え，
前記羽口１００は更に，前記第１外郭部１５０に連結されて前記第１外郭部１５０の外周面との間に前記第３本体流路１２１ｃと連通する第２外郭冷却流路１６１を内側に形成する，第２外郭部１６０を含み，
前記第３本体流路１２１ｃは前記ボディー部１１０に形成された第２外郭流入口１６２及び第２外郭流出口１６３に連通され，前記第２外郭流入口１６２を通じて供給された冷却水を前記第２外郭流出口１６３を通じて排出し，
前記第２外郭流入口１６２に連通する前記第２外郭流出口１６３，及び前記第３本体流路１２１ｃに連通する第２外郭冷却流路１６１は，前記ボディー流入口１２２に連通する前記ボディー流出口１２３，及び前記第１本体流路１２１ａに連通する前記先端体流路１３１，並びに前記第１外郭流入口１５２に連通する前記第１外郭流出口１５３，及び前記第２本体流路１２１ｂに連通する前記第１外郭流路１５１と隔離されているものとすることができる。
【０００９】
前記第１外郭部１５０の先端に，前記第１外郭冷却流路１５１の折り返し位置となる第１流路溝１５５を形成し，前記第２外郭部１６０の先端に，前記第２外郭冷却流路１６１の折り返し位置となる第２流路溝１６５を形成することができる。
【００１０】
前記突出部１３０の外周面に，前記カバー部１４０連結用の突起１３４を形成することができる。
【００１１】
前記カバー部１４０は，内面が平坦であり，外面には前記第１外郭冷却流路１５１を形成するための多数の第１隔壁１４１を設けることができる。
【００１２】
前記第１外郭部１５０は外周面に第２外郭冷却流路１６１の形成のための多数の第２隔壁１５４を形成することができる。
【００１３】
前記先端体流路１３１，及び外郭冷却流路１５１は，前記突出部１３０とカバー部１４０並びに隔壁１３２により，又は第１外郭部１５０と第２外郭部１６０並びに第１隔壁１４１により，それぞれ，螺旋状の空間を画定して成る流路として形成することができる。
【００１４】
前記第１外郭部の上部１５０ａ，下部１５０ｂ及び先端面にハードフェーシング処理層２００を設けることができる。
【００１５】
前記ハードフェーシング処理層２００は，前記最外周の外郭部１５０の前記上部１５０ａは先端から１５０〜２５０mmまでの範囲に，前記下部１５０ｂは先端から１００〜１５０mmまでの範囲に付設することができる。
【００１６】
前記先端体流路１３１は螺旋状であり，前記羽口１００の先端に向けて流れる入側先端体流路１３１ａと前記羽口１００の後端に向けて流れる出側先端体流路１３１ｂを備えたものとすることができる。
【００１７】
前記入側先端体流路１３１ａと前記出側先端体流路１３１ｂは前記羽口１００の長手方向に沿って交互に配置することができる。
【００１８】
前記第１外郭冷却流路１５１は螺旋状であり，前記羽口１００の先端に向けて流れる第１入側外郭冷却流路１５１ａと前記羽口１００の後端に向けて流れる第１出側外郭冷却流路１５１ｂを備えたものとすることができる。
【００１９】
前記第１入側外郭冷却流路１５１ａと前記第１出側外郭冷却流路１５１ｂは前記羽口１００の長手方向に沿って交互に配置することができる。
【００２０】
前記第１外郭冷却流路１５１は前記先端体流路１３１の外側に配置され，前記第２外郭冷却流路１６１は前記第１外郭冷却流路１５１の外側に配置されるものとすることができる。
【発明の効果】
【００２１】
本発明によれば，カバー部がボディー部の突出部と連結して本体流路を形成し，外郭部が前記カバー部を囲繞するように連結することにより，羽口の外郭部の一部が破損しても，破損した外郭部流路の冷却水供給を中断し，残る外郭部とボディー部だけでも羽口の機能を持続的に維持することができて長寿命の羽口を提供することができ，冷却水が羽口の先端まで全体的に均一に伝達されるようにして冷却効率が向上し，操業時間が延びて作業効率が向上する効果がある。
【図面の簡単な説明】
【００２２】
【図１】本発明の一実施例による羽口の正面図である。
【図２】図１に示した本発明の一実施例による羽口の軸線方向の断面図である。
【図３】図１に示した本発明の一実施例による羽口の部分断面展開図であり，同図Ａはボディー部の，同図Ｂは第１外郭部の，同図Ｃは 第２外郭部の冷却流路の流れを示す部分断面展開図である。
【図４】図１に示した本発明の一実施例による羽口の軸線方向断面図であり，同図Ａはボディー部の冷却流路での冷却水の流れを示す図，同図Ｂは第１外郭冷却流路での冷却水の流れを示す図，同図Ｃは第２外郭冷却流路での冷却水の流れを示す図である。
【図５】本発明の他の一実施例による羽口の正面図である。
【図６】図５に示した本発明の他の一実施例による羽口の軸線方向断面図である。
【図７】図５に示した本発明の他の一実施例による羽口のＡＡ線についての断面図であり，Ａはボディー部の断面図，Ｂは第１外郭部の断面図，Ｃは第１外郭部の螺旋状の流れを示す部分断面図である。
【図８】本発明の一実施例によるハードフェーシング処理を施された状態を示す概略図である。
【発明を実施するための形態】
【００２３】
以下，本発明の構成について添付図面を参照して詳細に説明する。
【００２４】
本発明による製鉄工業炉用羽口１００は，カバー部１４０がボディー部１１０の突出部１３０と連結して先端体流路１３１を形成し，第１外郭部１５０が，前記カバー部１４０を囲繞するように連結して，第１外郭冷却流路１５１を形成するよう構成される。
【００２５】
これにより，羽口１００の第１外郭部１５０の一部が破損しても，破損した第１外郭部流路１５１に対する冷却水供給を中断し，残るカバー部１４０とボディー部１１０だけでも羽口の機能を持続的に維持することができて長寿命の羽口を提供することができ，冷却水が羽口の先端まで全体的に均一に伝達するようにして冷却効率が向上し，操業時間が延びて作業効率が向上する優れた効果がある。
【００２６】
図１及び図２の一実施例に示すように，本発明による製鉄工業炉用羽口１００は，大別して胴部１２０と該胴部の先端に形成した突出部１３０でなるボディー部１１０と，カバー部１４０及び第１外郭部１５０で構成され，前記第１外郭部１５０の外側に更に一つ以上の他の外郭部（図示の例では第２外郭部１６０）を連結して羽口の寿命をさらに延ばすことが好ましい。ここで，前記製鉄工業炉は，高炉，ＦＩＮＥＸ溶融炉，ＣＯＲＥＸ溶融炉のいずれも可能である。
【００２７】
前記ボディー部１１０を構成する前記胴部１２０と前記突出部１３０の中央に炉の内部に向けて空気や酸素を供給するか微粉炭などの燃料を供給する。前記胴部１２０と突出部１３０は裁頭円錐状でなる。
【００２８】
この際，前記胴部１２０は，内部に本体流路１２１（１２１ａ〜１２１ｃ）を備え，前記突出部１３０の外側にはカバー部１４０が連結され，前記突出部１３０の外周面と前記カバー部１４０の間には先端体流路１３１が形成される。図３Ａに示すように，冷却水供給管（図示せず）を介してボディー流入口１２２に供給される冷却水が第１本体流路１２１ａと先端体流路１３１を経て循環して，製鉄工業炉内部の高温に加熱された羽口の温度を降下させ，ボディー流出口１２３を介して排出される。この際，前記排出される冷却水の温度は流入時より上昇するので，製鉄工業炉のエネルギーの相当量が前記冷却水によって失われる。
【００２９】
前記先端体流路１３１は前記突出部１３０とカバー部１４０及び隔壁１３２により，外郭冷却流路１５１は第１外郭部１５０と第２外郭部１６０並びに前記第１隔壁１４１により，それぞれ，螺旋状の空間を画定して成る流路として形成される。
【００３０】
前記先端体流路１３１は螺旋状(spiral)のリブ(rib)として形成することが好ましい。これにより，羽口内で螺旋状の各流路に冷却水を貫流することで，羽口全体に対する冷却効率が向上する効果がある。
【００３１】
このように，本発明による製鉄工業炉用羽口１００は，裁頭円錐状になったボディー部１１０が製鉄工業炉の壁体に設置される。この際，その設置構造上，内部圧力から気密状態を維持するように大羽口と接合された後，炉の内部に突出し，前記ボディー部１１０の胴部１２０と突出部１３０が連結される連結部には段差を形成するように段差部１７０が形成され，前記段差部１７０にカバー部１４０と第１外郭部１５０の一端が連結されるものである。
【００３２】
また，前記突出部１３０は前記カバー部１４０の下面と連結され，前記カバー部１４０は，実施形態においては，内面が平坦であり，外面には第１外郭冷却流路１５１を形成する多数の第１隔壁１４１が設けられている。
【００３３】
そして，前記第１外郭部１５０は筒状ないし環状であり，前記カバー部１４０の外側と突出部１３０の先端を囲繞するように連結され，前記第１外郭部１５０の内側，つまり前記カバー部１４０と第１外郭部１５０の間には第１外郭冷却流路１５１を形成することで，羽口の突出部１３０を充分に冷却することができるように構成している。
【００３４】
この際，前記第１外郭冷却流路１５１は螺旋状に形成することが好ましい。これにより，羽口の外側で螺旋状に冷却水を貫流することで，羽口全体に対する冷却効率が向上する効果がある。
【００３５】
ここで，図３Ｂに示すように，前記第１外郭冷却流路１５１において，第１外郭流入口１５２を介して冷却水が供給され，前記供給された冷却水は第１外郭冷却流路１５１を貫流して循環した後，第１外郭流出口１５３を介して排出される。
【００３６】
そして，前記第１外郭部１５０は先端に前記第１外郭冷却流路１５１の折り返し位置となる第１流路溝１５５を形成しているので，羽口の外郭を含む羽口の先端まで冷却することで冷却効率を向上することができる。
【００３７】
また，前記第１外郭部１５０の外側に一つ以上の他の外郭部を連結して羽口の寿命をさらに延ばすことが好ましく，羽口の最外側の外郭部が破損しても，前記破損した外郭部によって形成された冷却流路の冷却水供給を中断し，ボディー部１１０と残りの外郭部が冷却機能を維持するので，羽口の持続的な使用が可能である。
【００３８】
具体的には，例えば，図２及び図３Ｃに示すように，前記第１外郭部１５０の外周面には他の第２外郭部１６０を連結することができる。この際，前記第１外郭部１５０の外周面には他の第２外郭冷却流路１６１を形成する多数の第２隔壁１５４を設けることができる。これにより，前記第１外郭部１５０と第２外郭部１６０の間には冷却水が貫流する第２外郭冷却流路１６１が形成される。
【００３９】
また，前記第２外郭部１６０は前記第１外郭部１５０の外側と先端を囲繞するように連結され，前記ボディー部の胴部１２０と突出部１３０が連結される連結部位に２段に段差を形成して，段差部１７０の外側に第２段差部１７１が形成される。前記第２段差部に前記第２外郭部１６０の一端を連結して前記外郭部１５０を囲繞するように形成される。
【００４０】
そして，前記第２外郭冷却流路１６１に対し第２外郭流入口１６２を介して冷却水が供給され，前記供給された冷却水は第２外郭冷却流路１６１を貫流して循環した後，第２外郭流出口１６３を介して排出される。
【００４１】
前記第２外郭部１６０の先端の内面と前記第１外郭部１５０の先端の外面の間に前記第２外郭冷却流路１６１の折り返し位置となる第２流路溝１６５を形成しているので，羽口の外郭を含む羽口の先端まで冷却することで冷却効率を向上することができる。
【００４２】
この際，前記第２外郭冷却流路１６１は，羽口の外側で螺旋状に冷却水を貫流するようにして冷却能力を向上することが好ましい。
【００４３】
このように，本発明の一実施例による冷却流路での冷却水の流れは図３Ａ〜図３Ｃに詳細に示されている。
【００４４】
これだけでなく，前記第２外郭部１６０の外側に他の外郭冷却流路１６１が形成された多数の他の外郭部を連続的に連結することで，羽口の冷却効率を一層向上させ，羽口の寿命を一層延ばすことができる。
【００４５】
また，図５及び図６の他の一実施例に示すように，ボディー部１１０の胴部１２０は内部に本体流路１２１（１２１ａ〜１２１ｃ）を備え，前記突出部１３０の外側にはカバー部１４０が連結され，前記突出部１３０の外周面と前記カバー部１４０の間には先端体流路１３１が形成される。
【００４６】
この際，図７Ａ〜図７Ｃに示すように，冷却水供給管（図示せず）を介してボディー流入口１２２に供給される冷却水が，前記第１本体流路１２１ａ，先端体流路１３１を循環して，製鉄工業炉内部の高温に加熱された羽口の温度を降下させてからボディー流出口１２３を介して排出される。
【００４７】
もちろん，前記先端体流路１３１は螺旋状(spiral)のリブ(rib)から形成することが好ましく，外郭冷却流路１５１は図７Ｃのように螺旋状に形成することが好ましく，これにより羽口内で螺旋状のリブから成る各流路に冷却水を貫流することで羽口全体の冷却効率が向上する効果がある。
【００４８】
また，前記突出部１３０は外周面に前記カバー部連結用突起１３４を形成していることにより前記カバー部１４０の下面と連結する。この際，前記カバー部１４０は内面が平坦であり，外面には第１外郭冷却流路１５１を形成するための多数の隔壁１４１が設けられている。
【００４９】
また，図８に示すように，前記外郭部４０の先端面にはハードフェーシング処理層２００が形成される。これは製鉄工業炉の上部から投入されて落下する燃料及び原料との衝突による摩耗及び破損を最小限とするためである。
【００５０】
この際，前記ハードフェーシング処理層２００は高温耐熱性及び耐磨耗性に優れたＦｅ−Ｃｒ材質でなり，外郭部の上部１５０ａは先端から１５０〜２５０mmまでの範囲に，外郭部の下部１５０ｂは先端から１００〜１５０mmまでの範囲に付設することが好ましい。
【００５１】
これは，前記外郭部の上部１５０ａは内部の高熱及び落下物によって影響される範囲が広く，溶融及び損傷が顕著な部分であるので，これを最小限とするために外郭部の上部１５０ａは先端から１５０〜２５０mmまでの範囲にハードフェーシング処理層２００を備えるようにするが，外郭部の下部１５０ｂは外郭部の上部１５０ａに比べて影響される範囲が比較的小さいため，先端から１００〜１５０mmまでの範囲にハードフェーシング処理を施したものである。
【００５２】
このように，本発明による製鉄工業炉用羽口１００は，カバー部がボディー部の突出部と連結して先端体流路を形成し，内側に外郭冷却流路が形成された外郭部が前記カバー部の外側と突出部の先端を囲繞するように連結することにより，羽口の外郭部の一部が破損しても，破損した外郭部流路の冷却水供給を中断し，残る外郭部とボディー部だけでも羽口の機能を持続的に維持することができるので，長寿命の羽口を提供することができ，冷却水が羽口の先端まで全体的に均一に伝達されるようにして冷却効率を向上し，操業可能時間を延長して作業効率を向上する。
【００５３】
前述した構成は本発明の実施形態の一つであり，本発明はこれに限定されるものではない。本発明の特許請求の範囲に記載された技術的思想と実質的に同一の構成を有する同一の作用効果を得るものであれば，実施において，部材，構成の変更は任意であり，本発明の技術的範囲に含まれる。
【産業上の利用可能性】
【００５４】
本発明は，製鉄工業炉の内部で空気や酸素を供給するか微粉炭などの燃料を吹き込むことで，投入された燃料を燃焼させて鉄鉱石を溶融するための製鉄工業炉用羽口に適用可能である。
【符号の説明】
【００５５】
１００ 羽口
１１０ ボディー部
１２０ 胴部
１２１  本体流路
１２１ａ  第１本体流路
１２１ｂ  第２本体流路
１２１ｃ  第３本体流路
１２２ ボディー流入口
１２３ ボディー流出口
１３０ 突出部
１３１ 先端体流路
１３１ａ  入側先端体流路
１３１ｂ  出側先端体流路
１３２  隔壁
１３４ 突起
１４０ カバー部
１４１ 第１隔壁
１５０ 第１外郭部
１５０ａ 第１外郭部の上部
１５０ｂ 第１外郭部の下部
１５１ 第１外郭冷却流路
１５１ａ  第１入側外郭冷却流路
１５１ｂ  第１出側外郭冷却流路
１５２ 第１外郭流入口
１５３ 第１外郭流出口
１５４ 第２隔壁
１５５ 第１流路溝
１６０ 第２外郭部
１６１ 第２外郭冷却流路
１６１ａ  第２入側外郭冷却流路
１６１ｂ  第２出側外郭冷却流路
１６２ 第２外郭流入口
１６３ 第２外郭流出口
１６５ 第２流路溝
１７０ 段差部
１７１ 第２段差部
２００ ハードフェーシング処理層
【図１】
0005572137.tif 000002
【図２】
0005572137.tif 000003
【図３】
0005572137.tif 000004
【図４】
0005572137.tif 000005
【図５】
0005572137.tif 000006
【図６】
0005572137.tif 000007
【図７】
0005572137.tif 000008
【図８】
0005572137.tif 000009